(57)【要約】【課題】  光信号復調器は位相変化を取り出すための構成は色々提案されているが、復調器の構成によって、偏波により、損失や位相シフトが発生する問題があった。【解決手段】  光信号を復調するように動作可能な復調器は空間伝搬してきた入力信号を第１の光と第２の光分割するビームスプリッタと、ビームスプリッタで分割した第１の光を第３の光と第４の光に分割する第１の光学装置セットと、スプリッタで分割した第２の光を第５の光と第６の光に分割する第２の光学装置セットと、第５の光を遅延する第１遅延手段と、第６の光を遅延する第２遅延手段と、第３の光と第１遅延手段で遅延された第５の光をカップリングする第１のカプラと、第４の光と第２遅延手段で遅延された第６の光をカップリングする第２のカプラと、第１のカプラと第２のカプラからの光をそれぞれ受信するフォトダイオードとを備える。 【選択図】図２
2008017445.tif 000002
【特許請求の範囲】
【請求項１】
光信号を復調するように動作可能な復調器であって、
空間伝搬してきた入力信号を第１の光と第２の光分割するビームスプリッタと、
該ビームスプリッタで分割した該第１の光を第３の光と第４の光に分割する第１の光学装置セットと、
該スプリッタで分割した該第２の光を第５の光と第６の光に分割する第２の光学装置セットと、
第５の光を遅延する第１遅延手段と、
第６の光を遅延する第２遅延手段と、
該第３の光と該第１遅延手段で遅延された該第５の光をカップリングする第１のカプラと、
該第４の光と該第２遅延手段で遅延された該第６の光をカップリングする第２のカプラと、
該第１のカプラと該第２のカプラからの光をそれぞれ受信するフォトダイオードと
を備えたことを特徴とする復調器。
【請求項２】
請求項１記載の復調器において、該第１のカプラと該第２のカプラは該スプリッタの一部であることを特徴とする復調器。
【発明の詳細な説明】
【技術分野】
【０００１】
本発明は、一般的には、光信号通信の分野に関し、より特定的には、光信号復調器に関する。
【背景技術】
【０００２】
光信号は、差動位相シフトキーング（ＤＰＳＫ）デジタル変調技術に従って変調される場合がある。本手法によれば、位相の変化を使用して、ビットデータを表す。送信器における変調器は、入力ビットシーケンスを変換して、入力ビットシーケンスを表す位相変化にする。受信器における復調器は、位相変化を変換して、入力ビットシーケンスを取り出す。
【０００３】
光信号復調器は位相変化を強度変化として取り出すための構成は色々提案されているが、復調器の構成によって、偏波により、損失や位相シフトが発生する問題があった。
【０００４】
差動位相シフトキーングを用いたシステムとして、特許文献１が知られている。
【特許文献１】特開２００６−３５３７５号公報
【発明の開示】
【発明が解決しようとする課題】
【０００５】
本発明の課題は偏波の影響を受けにくい光信号復調器を提供することである。
【課題を解決するための手段】
【０００６】
上記の課題を解決するための第１の手段として、光信号を復調するように動作可能な復調器は、空間伝搬してきた入力信号を第１の光と第２の光分割するビームスプリッタと、該ビームスプリッタで分割する第１の光学装置セットと、該ビームスプリッタで分割した該第２の光を第５の光と第６の光に分割する第２の光学装置セットと、第５の光を遅延する第１遅延手段と、第６の光を遅延する第２遅延手段と、該第３の光と該第１遅延手段で遅延された該第５の光をカップリングする第１のカプラと、該第４の光と該第２遅延手段で遅延された該第６の光をカップリングする第２のカプラと、該第１のカプラと該第２のカプラからの光をそれぞれ受信するフォトダイオードとを備える。
【０００７】
上記の課題を解決するための第２の手段として、上記第１の手段において、該第１のカプラと該第２のカプラは該スプリッタの一部とする。
【発明の効果】
【０００８】
本発明によれば、光を空間伝搬して、位相変化を取り出す光信号復調器を構成することで、偏波状態により、損失や周波数シフトが低減できる。
【発明を実施するための最良の形態】
【０００９】
以下、図面を参照して本発明の実施形態について説明する。実施形態の構成は例示であり、本発明は実施形態の構成に限定されない。
【００１０】
本発明によれば、差動位相シフトキーイング信号を復調するためのこれまでの手法に関連した不都合および問題が緩和または解消されることになろう。
【００１１】
本発明の一実施形態によれば、復調器は、入力スプリッタと、光学装置セットと、カプラとを備える。入力スプリッタは、シンボルを備える入力信号を分割して、数多くの信号を生じさせる。第１の光学装置セットは、第１の経路に沿って信号を導く。第２の光学装置セットは、第２の経路に沿って他の信号を導いて、遅延信号を生じさせる。第２の経路の少なくとも一部は、自由空間内にある。第１の経路と第２の経路との間の経路長差は、第１の信号と第２の信号との間のシンボル遅延を導く。カプラは、信号の一部と、遅延信号の一部とを受信して、干渉を生じさせる。干渉は、シンボルに対応する位相と、後続シンボルに対応する後続位相との間の位相シフトを示す。
【００１２】
本発明のある実施形態は、１つ以上の技術的利点を提供することがある。一実施形態の技術的利点の１つは、復調器が光信号経路を有し、当該経路の少なくとも一部は自由空間内にあることであろう。光信号が自由空間内を進行できるので、固体を通る信号通信に関する諸問題を軽減するだろう。例えば、自由空間を通って進行する信号は、挿入損失が少なく、偏波に依存した損失が少なく、偏波に依存した周波数シフトが少ないだろう。
【００１３】
一実施形態の他の技術的利点は、変調器の反射器を容易に調整して、干渉経路の長さを変化させてもよいことであろう。干渉経路の長さを変化させて、復調を改善してもよい。
【００１４】
本発明のある実施形態は、上記の技術的利点のうちのいくつかまたはすべてを含むか、もしくはまったく含まないこともある。当業者にとって、１つまたはそれ以上の他の技術的利点が、本明細書に含まれる図面、説明、およびクレームから容易に明らかであろう。
【００１５】
本発明の実施形態ならびにその利点は、図面の図１および２を参照することによって最もよく理解される。同様の数字は、様々な図面の同様または対応部分に使用される。
【００１６】
図１は、差動位相シフトキーイング（ＤＰＳＫ）変調手法に従って信号を通信するためのシステムの一実施形態を示すブロック図である。本実施形態によれば、システム１０は、光信号経路を有する復調器を含み、当該経路の少なくとも一部は、自由空間内にある。
【００１７】
本実施形態によれば、システム１０は、信号を通信する。信号とは、光子を備える光パルスとして送信される光信号のことを指してもよい。光信号は、約１５５０ナノメートルの波長を有するキャリアを利用でき、例えば、毎秒１０，２０，４０または４０ギガビット以上のデータレートであってもよい。信号は、パケット内の情報を通信してもよい。パケットは、特定のやり方で組織化されて送信されるデータの束を備えていてもよい。パケットは、声、データ、音声、映像、マルチメディア、他の情報、または上記の任意の組み合わせのような任意の適切な情報を載せることができる。
【００１８】
システム１０は、構成要素の動作を行うように動作可能な要素の適切な配列を含む構成要素を含み、論理、インターフェース、メモリ、または上記の任意の適切な組み合わせを備えることができる。「論理」とは、ハードウェア、ソフトウェア、他の論理、または上記の任意の適切な組合せのことを指してもよい。ある論理は、装置の動作を管理してもよく、例えば、プロセッサを備えていてもよい。「プロセッサ」とは、動作を行うために命令を実行してデータを操作するように動作可能な任意の適切な装置のことを指すことができる。
【００１９】
「インターフェース」とは、装置に対する入力を受信し、装置から出力を送信し、当該入力または出力もしくはその両方もしくは上記の任意の組み合わせの適切な処理を行うように動作可能な装置の論理のことを指してもよく、１つ以上のポート、変換ソフトウア、またはその両方を備えていてもよい。「メモリ」とは、情報の記憶及びその取出しの促進するように動作可能な論理のことを指してもよく、ランダムアクセスメモリ（ＲＡＭ）、読み出し専用メモリ（ＲＯＭ）、磁気ドライブ、ディスクドライブ、コンパクトディスク（ＣＤ）ドライブ、デジタルビデオディスク（ＤＶＤ）ドライブ、リムーバブルメディアストレージ、任意の他の適切なデータ記憶媒体、または上記の任意の組み合わせを備えていてもよい。
【００２０】
図示の実施形態によれば、システム１０は、信号を受信器３２へ通信するように動作可能な送信器２０を含む。送信器２０は、ＤＰＳＫ変調に従って信号を符号化する変調器２４を含む。受信器３２は、符号化された信号を復号化する復調器２８を含む。
【００２１】
本実施形態によれば、変調器２４は、時間スロットｋについて入力ビットｂｋを有する信号を受信する。変調器２４は、ビットｂｋを符号化して、変調信号ｍｋを生じさせる。変調器２４は、例えばマッハ‐ツェンダー変調器などの任意の適切な変調器を備えることができる。変調器２４は、連続波の光ビームを放出するレーザを有していてもよく、光ビームを変調してビットｂｋを符号化できる。
【００２２】
ビットｂｋは、連続シンボル間の位相シフトがビットｂｋを表すＤＰＳＫ変調に従って符号化されてもよい。ｎ位相シフトキーイング（ｎ‐ＰＳＫ）変調によれば、ｎ個の互いに異なるレベルの位相シフトを使用して、シンボル毎にｐビットを符号化してもよく、ここで、ｎ＝２ｐである。一例として、４‐ＰＳＫまたは差動４位相シフトキーイング（ＤＱＰＳＫ）によれば、４つの位相差を使用して、シンボル毎に２ビットを符号化する。ある場合には、位相シフト０度、９０度、１８０度、および−９０度を使用して、「００」、「０１」、「１１」、「１０」をそれぞれ符号化してもよい。他の例として、８‐ＰＳＫによれば、８つの位相差を使用して、シンボル毎に３ビットを符号化する。
【００２３】
送信器２０は、変調信号ｍｋを受信器３２へ送信する。受信器３２の復調器２８は、信号ｍｋを復調して、符号化手順を逆に進めてビットｂｋを生じさせる。信号ｍｋを復調するには、復調器２８は、連続シンボル間の位相シフトを比較する。復調器２８は、信号ｍｋを分割して、複数の信号を生じさせてもよい。複数の信号のうちの１つの信号を１シンボル分だけ遅延させて、遅延信号を生じさせてもよい。遅延信号および非遅延信号は、連続シンボルの位相を比較するために、部分的に重なり合っていてもよい。位相の比較は、部分的に重なり合った信号を建設的または相殺的に干渉することによって比較されてもよい。復調器２８は、光の干渉を検出し干渉光に対応する検出信号を発生させるフォトダイオードを含むことができる。
【００２４】
一実施形態によれば、復調器２８は、光信号経路を有し、経路の少なくとも一部は、自由空間内にある。自由空間とは、例えば真空、気体、液体があるというように固体物がない空間、他の非固体がある空間、または上記のうちの任意のものの任意の組み合わせがある空間を指してもよい。したがって、信号は、真空、気体、または液体を通して通信される。復調器２８の例を、図２を参照してより詳細に説明する。
【００２５】
本発明の範囲から逸脱することなく、システム１０に対して修正、追加、または省略が行われてもよい。システム１０の構成要素は、特定の必要性に応じて、統合されるか、または分離されてもよい。さらに、システム１０の動作は、より多い数の装置、より少ない数の装置、または他の装置によって行うことが可能である。加えて、システム１０の動作は、任意の適切な論理を使用することができる。本明細書において使用されるように、「各」とは、セットの各部材またはセットのサブセットの各部材のことを指す。
【００２６】
図２は、自由空間において信号を復調する復調器２８の一例を示すブロック図である。復調器２８は、図１のシステム１０と共に使用することができる。
【００２７】
図示の実施形態によれば、復調器２８は、入力１１４と、ビームスプリッタ１２０と、光学装置セット１２２とを含み、図示のように接続されている。光学装置セット１２２は、光信号が進行する経路１４４（図２の点線で示した光路）を規定する。光学装置セット１２２は、図示のように結合された反射器１２４と、ビームスプリッタ１２８とを含んでもよい。ビームスプリッタ１２０と、反射器１２４ａと、ビームスプリッタ１２８ａとは、第１の干渉経路１４４ａ（図２の光学装置セット１２２ａ側の点線で示した光路）を規定し、ビームスプリッタ１２０と、反射器１２４ｂと、ビームスプリッタ１２８ｂとは、第２の干渉経路１４４ｂ（図２の光学装置セット１２２ｂ側の点線で示した光路）を規定する、経路１４４の少なくとも一部は、自由空間１０４内に設けることができる。
【００２８】
図示の実施形態によれば、入力１１４は、ＤＱＰＳＫ変調などのＤＰＳＫ変調に従って変調されている入力信号を受信する。入力１１４は、当該信号をビームスプリッタ１２０へ導く。ビームスプリッタ１２０は、当該信号を分割して、反射器１２４へ導かれる複数の信号にする。例えば、ビームスプリッタ１２０は、当該信号を分割して、同相および矩象成分信号を備える２つのほぼ等価の信号Ｓ１およびＳ２にする。信号Ｓ１は、反射器１２４ａへ導かれ、信号Ｓ２は、反射器１２４ｂへ導かれる。
【００２９】
反射器１２４は、信号Ｓ１およびＳ２をビームスプリッタ１２８へ反射する。例えば、反射器１２４ａは、信号Ｓ１をビームスプリッタ１２８ａへ反射し、反射器１２４ｂは、信号Ｓ２をビームスプリッタ１２８ｂへ反射する。一実施形態によれば、干渉経路１４４の経路長の差は、信号Ｓ１およびＳ２間の相対的なシンボル遅延を導く。当該差は、１シンボル長でもよく、群速度とシンボルレートとの比から設定することができる。
【００３０】
遅延は、１つ以上の干渉経路１４４の長さを変化させることによって１シンボル長の差を生じさせることによって調整することができる。例えば、ビームスプリッタ１２８に対して反射器１２４ａ、１２４ｂを方向１２６のように移動させることによって長さを変化させる。遅延を調整して、建設的または相殺的干渉のために信号を揃えてもよい。
【００３１】
ビームスプリッタ１２８は、反射器１２４から受信された信号を分割する。ビームスプリッタ１２８ａは、信号Ｓ１を信号Ｓ１１およびＳ１２に分割し、ビームスプリッタ１２８ｂは、信号Ｓ２を信号Ｓ２１およびＳ２２に分割する。ビームスプリッタ１２８は、信号を２つのほぼ等価の信号に分割することができる。
【００３２】
位相遅延器１３２は、位相遅延を信号に導く。図示の実施形態によれば、位相遅延器１３２ａは、位相遅延を信号Ｓ２１に導き、位相遅延器１３２ｂは、位相遅延を信号Ｓ２２に導く。任意の適切な位相遅延器は、例えば、位相遅延において、位相レベル間の異なる位相に対して、同等の位相差を導くことができる。例えば、位相差がπ／２のＤＱＰＳＫの場合は、位相遅延器１３２ａは、π／４の位相遅延を導き、位相遅延器１３２ｂは、π／４の位相遅延を導く。
【００３３】
カプラ１３６は、ビームスプリッタ１２８から信号を受信し、当該信号を相殺的に干渉されるか、または建設的に干渉されうる信号に分割する。図示の実施形態によれば、カプラ１３６ｂは、信号Ｓ１１およびＳ２１を結合し、カプラ１３６ａは、信号Ｓ１２およびＳ２２を結合する。一実施形態によれば、ビームスプリッタは、ビームスプリッタ１２０と、カプラ１３６とを備えることができる。フォトダイオード１４０は、信号Ｓ１１およびＳ２１の建設的または相殺的干渉を検出することができ、信号Ｓ１２およびＳ２２の建設的または相殺的干渉を検出することができる。
【００３４】
本発明の範囲から逸脱することなく、復調器２８に対して修正、追加、または省略が行われてもよい。復調器２８の構成要素は、特定の必要性に応じて、統合されるか、または分離してもよい。さらに、復調器２８の動作は、より多い数の装置、より少ない数の装置、または他の装置によって行われてもよい。加えて、復調器２８の動作は、任意の適切な論理を使用して行うことができる。
【００３５】
本発明のある実施形態は、１つ以上の技術的利点を提供することがある。一実施形態の技術的利点の１つは、復調器が光信号経路を有し、当該経路の少なくとも一部は自由空間内にあることであろう。光信号が自由空間内を進行できるので、固体を通る信号通信に関する諸問題を軽減するだろう。例えば、自由空間を通って進行する信号は、挿入損失が少なく、偏波に依存した損失が少なく、偏波に依存したい位相シフトが少ないだろう。
【００３６】
一実施形態の他の技術的利点は、変調器の反射器を容易に調整して、干渉経路の長さを変化させてもよいことであろう。干渉経路の長さを変化させて、復調を改善してもよい。
【００３７】
特定の実施形態および一般的に関連する方法の点から本開示を説明してきたが、本実施形態および方法の改変および置換は、当業者によって明らかであろう。したがって、実施形態例の上記説明は、本開示を制約するものではない。他の変更、代用、および改変も、以下のクレームによって規定されるような本開示の精神および範囲を逸脱することなく可能である。
【００３８】
［付記１］
信号を復調するように動作可能な復調器であって、
複数のシンボルを備える入力信号を分割して複数の信号を生じさせるように動作可能な入力スプリッタと、
複数の信号のうちのある信号を第１の経路に沿って導くように動作可能な第１の光学装置セットと、
複数の信号のうちの他の信号を第２の経路に沿って導いて遅延信号を生じさせるように動作可能な第２の光学装置セットであって、第１の経路と第２の経路との間の経路長差は、第１の信号および第２の信号間のシンボル遅延を導き、第２の経路の少なくとも一部は自由空間にある、第２の光学装置セットとを備える複数の光学装置セットと、
複数のカプラとを備える復調器であって、複数のカプラのうちのあるカプラは、
信号の一部と、遅延信号の一部とを受信して、複数のシンボルのうちのあるシンボルに対応する位相と、複数のシンボルのうちの後続シンボルに対応する後続位相との間の位相シフトを示す干渉を生成するように動作する、復調器。
【００３９】
［付記２］
入力信号は、差動４位相シフトキーイングに従って変調される、付記１に記載の復調器。
【００４０】
［付記３］
第２の光学装置セットは、
複数の信号のうちの他の信号を反射し、
経路長差を変化させるように移動するように動作可能な反射器をさらに含む、付記１に記載の復調器。
【００４１】
［付記４］
複数の光学装置セットのうちのある光学装置セットは、
複数の信号のうちの少なくとも１つの信号を反射して反射信号を生じさせるように動作可能な反射器と、
反射信号を分割するように動作可能なビームスプリッタとをさらに備える、付記１に記載の復調器。
【００４２】
［付記５］
複数の光学装置セットのうちのある光学装置セットは、
複数の信号のうちの少なくとも１つの信号の位相を遅延させるように動作可能な位相遅延をさらに備える、付記１に記載の復調器。
【００４３】
［付記６］
複数のカプラは、
信号の第１の部分と、遅延信号の第１の部分とを受信して干渉を生じさせるように動作可能な第１のカプラと、
信号の第２の部分と、遅延信号の第２の部分とを受信して干渉を生じさせるように動作可能な第２のカプラとをさらに備える、付記１に記載の復調器。
【００４４】
［付記７］
入力スプリッタと、
複数のカプラとを備えるビームスプリッタをさらに備える、付記１に記載の復調器。
【００４５】
［付記８］
干渉を検出し、
位相シフトを表す検出器信号を生成するように動作可能な複数の光ダイオードをさらに備える、付記１に記載の復調器。
【００４６】
［付記９］
干渉を検出するように動作可能な複数の光ダイオードをさらに備え、複数の光ダイオードは、
相殺的干渉を検出するように動作可能な第１の光ダイオードと、
建設的干渉を検出するように動作可能な第２の光ダイオードとをさらに備える、付記１に記載の復調器。
【００４７】
［付記１０］
信号を復調するための方法であって、
入力スプリッタにおいて、複数のシンボルを備える入力信号を分割して複数の信号を生じさせることと、
複数の光学装置セットのうちの第１の光学装置セットを使用して、複数の信号のうちのある信号を第１の経路に沿って導くことと、
複数の光学装置セットのうちの第２の光学装置セットを使用して、複数の信号のうちの他の信号を第２の経路に沿って導いて遅延信号を生じさせることであって、第１の経路と第２の経路との間の経路長差は、第１の信号および第２の信号間のシンボル遅延を導き、第２の経路の少なくとも一部は自由空間にあり、
複数のカプラのうちのあるカプラにおいて、信号の一部と、遅延信号の一部とを受信して、複数のシンボルのうちのあるシンボルに対応する位相と、複数のシンボルのうちの後続シンボルに対応する後続位相との間の位相シフトを示す干渉を生成することとを含む、方法。
【００４８】
［付記１１］
入力信号は、差動４位相シフトキーイングに従って変調される、付記１０に記載の方法。
【００４９】
［付記１２］
第２の光学装置セットのうちの反射器を使用して、複数の信号のうちの他の信号を反射することと、
経路長差を変化させるように反射器を移動させることとをさらに含む、付記１０に記載の方法。
【００５０】
［付記１３］
複数の光学装置セットのうちのある光学装置セットの反射器を使用して、複数の信号のうちの少なくとも１つの信号を反射して反射信号を生じさせることと、
複数の光学装置セットのうちのある光学装置セットのビームスプリッタを使用して、反射信号を分割することとをさらに含む、付記１０に記載の方法。
【００５１】
［付記１４］
複数の光学装置セットのうちのある光学装置セットの位相遅延を使用して、複数の信号のうちの少なくとも１つの信号の位相を遅延させることをさらに含む、付記１０に記載の方法。
【００５２】
［付記１５］
複数のカプラのうちのあるカプラにおいて、信号の一部と、遅延信号の一部とを受信して干渉を生成することは、
第１のカプラにおいて、信号の第１の部分と、遅延信号の第１の部分とを受信して干渉を生じさせることと、
第２のカプラにおいて、信号の第２の部分と、遅延信号の第２の部分とを受信して干渉を生じさせることとをさらに含む、付記１０に記載の方法。
【００５３】
［付記１６］
入力スプリッタと、
複数のカプラとを備えるビームスプリッタをさらに備える、付記１０に記載の方法。
【００５４】
［付記１７］
干渉を検出することと、
位相シフトを表す検出器信号を生成することとをさらに含む、付記１０に記載の方法。
【００５５】
［付記１８］
相殺的干渉を検出することと、
建設的干渉を検出することとによって干渉を検出することをさらに含む、付記１０に記載の方法。
【００５６】
［付記１９］
信号を復調するためのシステムであって、
入力スプリッタにおいて、複数のシンボルを備える入力信号を分割して複数の信号を生じさせるための手段と、
複数の光学装置セットのうちの第１の光学装置セットを使用して、複数の信号のうちのある信号を第１の経路に沿って導くための手段と、
第２の光学装置セットを使用して、複数の信号のうちの他の信号を第２の経路に沿って導いて遅延信号を生じさせるための手段であって、第１の経路と第２の経路との間の経路長差は、第１の信号および第２の信号間のシンボル遅延を導き、第２の経路の少なくとも一部は自由空間にある、手段と、
複数のカプラのうちのあるカプラにおいて、信号の一部と、遅延信号の一部とを受信して、複数のシンボルのうちのあるシンボルに対応する位相と、複数のシンボルのうちの後続シンボルに対応する後続位相との間の位相シフトを示す干渉を生成するための手段とを備える、システム。
【００５７】
［付記２０］
信号を復調するように動作可能な復調器であって、
複数のシンボルを備え、差動４位相シフトキーイング変調に従って変調された入力信号を分割して複数の信号を生じさせるように動作可能な入力スプリッタと、
複数の光学装置セットであって、
複数の信号のうちのある信号を第１の経路に沿って導くように動作可能な第１の光学装置セットと、
複数の信号のうちの他の信号を第２の経路に沿って導いて遅延信号を生じさせるように動作可能な第２の光学装置セットであって、第１の経路と第２の経路との間の経路長差は、第１の信号および第２の信号間のシンボル遅延を導き、第２の経路の少なくとも一部は自由空間にあり、第２の光学装置セットは、
複数の信号のうちの他の信号を反射し、
経路長差を変化させるように移動するように動作可能な反射器をさらに備える、複数の光学装置セットであって、複数の光学装置セットのうちのある光学装置セットは、
複数の信号のうちの少なくとも１つの信号を反射して反射信号を生じさせるように動作可能な反射器と、
反射信号を分割するように動作可能なビームスプリッタと、
複数の信号のうちの少なくとも１つの信号の位相を遅延させるように動作可能な位相遅延とをさらに備える、複数の光学装置セットと、
複数のカプラであって、複数のカプラのうちのあるカプラは、
信号の一部と、遅延信号の一部とを受信して、複数のシンボルのうちのあるシンボルに対応する位相と、複数のシンボルのうちの後続シンボルに対応する後続位相との間の位相シフトを示す干渉を生成するように動作し、複数のカプラは、
信号の第１の部分と、遅延信号の第１の部分とを受信して干渉を生じさせるように動作可能な第１のカプラと、
信号の第２の部分と、遅延信号の第２の部分とを受信して干渉を生じさせるように動作可能な第２のカプラとをさらに備える、複数のカプラと、
ビームスプリッタであって、
入力スプリッタと、
複数のカプラとを備えるビームスプリッタと、
複数のフォトダイオードであって、
干渉を検出して、
位相シフトを表す検出器信号を生成するように動作可能な複数のフォトダイオードであって、
建設的干渉を検出するように動作可能な第１のフォトダイオードと、
相殺的干渉を検出するように動作可能な第２のフォトダイオードとをさらに備える、複数のフォトダイオードとを備える、復調器。
【図面の簡単な説明】
【００５８】
【図１】通信システムの一実施形態を示すブロック図
【図２】自由空間において信号を復調する復調器の一例を示すブロック図
【符号の説明】
【００５９】
１０  システム
２０  送信器
２４  変調器
２８  復調器
３２  受信器
１２０  ビームスプリッタ
１２２  光学装置セット
１２４  反射器
１３２  位相遅延
１４０  フォトダイオード
【図１】
2008017445.tif 000003
【図２】
2008017445.tif 000004